(57)【特許請求の範囲】
【請求項１】
重ね合わされた二枚の外フィルムの両側端同士がシールされるとともに、外フィルムの両側端に繋がった線状又は帯状のシールラインを形成するように前記二枚の外フィルムがシールされて形成された袋本体を備え、袋本体は、シールラインに区画された一方の領域内にサンドイッチを収容するように構成され、二枚の外フィルムの少なくとも何れか一方におけるシールラインに区画された他方の領域に、一方の領域側とは反対側に凸をなす摘持片を画定する切り込みが設けられたサンドイッチ用包装材において、前記切り込みが設けられた外フィルム及び該外フィルムにシールされた相手方の互いに対向する面の少なくとも何れか一方には、少なくともシールラインの形成される領域における前記切り込みの両端間に対応する範囲にイージーピール性が付与され、一端部をシールラインの形成される領域内に位置させるとともに他端側を他方の領域側に位置させるように二枚の外フィルム間に介装され、他方の領域にコシを付与する補強用の中間フィルムをさらに備え、二枚の外フィルムは、前記シールラインを形成するように補強用の中間フィルムにシールされることで間接的にシールされ、補強用の中間フィルムは、前記切り込みが設けられた外フィルムと対向する面の少なくともシールラインの形成される領域における前記切り込みの両端間に対応する範囲にイージーピール性が付与されていることを特徴とするサンドイッチ用包装材。
【請求項２】
前記補強用の中間フィルムは、前記切り込みが設けられた外フィルムと対向する面の全面にイージーピール性が付与されている請求項１に記載のサンドイッチ用包装材。
【請求項３】
前記切り込みが設けられた外フィルムには、シールラインと交差するようにカットテープが貼着され、該カットテープは、一端部が摘持片内に位置するように設けられている請求項１又は２に記載のサンドイッチ用包装材。
【請求項４】
前記切り込みは、両端がシールライン内又はシールラインにおける他方の領域側のエッジ上に位置するように形成されている請求項１乃至３の何れか１項に記載のサンドイッチ用包装材。
【発明の詳細な説明】
【技術分野】
【０００１】
本発明は、サンドイッチを包装するためのサンドイッチ用包装材に関する。
【背景技術】
【０００２】
従来から、サンドイッチを包装するためのサンドイッチ用包装材として、重ね合わされた二枚の外フィルムの両側端同士がシールされるとともに、外フィルムの両側端に繋がった線状又は帯状のシールラインを形成するように前記二枚の外フィルムが直接的又は間接的にシールされて形成された袋本体を備えたものが知られている（例えば、特許文献１参照）。
【０００３】
かかる袋本体は、シールラインに区画された一方の領域内にサンドイッチを収容するように構成され、二枚の外フィルムの少なくとも何れか一方におけるシールラインに区画された他方の領域に、一方の領域側とは反対側に凸をなす摘持片を画定する切り込みが設けられている。
【０００４】
これにより、サンドイッチ用包装材は、摘持片を引っ張ることで外フィルムが切り込みの両端（始点及び終点）を起点にして二カ所で引き裂かれ、その二つの裂け目間の外フィルムを切除できるようになっている。これにより、上記サンドイッチ用包装材は、外フィルムの切除された部分（開口）からサンドイッチを取り出せるようになっている。
【０００５】
また、サンドイッチ用包装材は、袋本体がシールラインを介してサンドイッチが収容される一方の領域と、切り込みによって摘持片が形成される他方の領域とに区画されているため、外フィルムに切り込みを入れて摘持片を形成しても、一方の領域内と外部とが連通することがなく、収容したサンドイッチを衛生的に包装できるようにもなっている。
【特許文献１】特開２００６−８１６２号公報
【発明の開示】
【発明が解決しようとする課題】
【０００６】
しかしながら、上記構成のサンドイッチ用包装材は、袋本体に形成されたシールラインが開封の円滑性を阻害するといった問題がある。すなわち、シールラインは、袋本体を構成する二枚の外フィルムが直接的又は間接的にシールされることで形成されているため、剛性が他の部分に比して非常に高まった状態になっている。
【０００７】
そのため、上記構成のサンドイッチ用包装材は、摘持片を引っ張って外フィルムの裂け目がシールラインに到達したときに、剛性の高いシールラインによる抵抗で引っ張り力が不特定な方向に作用してしまことがある。その結果、外フィルムの引き裂きがシールラインによって阻害されたり、外フィルムの引き裂き（裂け目）がシールライン上で進行したとしても、剛性の高まったシールラインの抵抗によって外フィルムが真っ直ぐに裂けず、切除される外フィルムの幅が途中位置で幅狭に或いは幅広になって最終位置まで略一定幅で切除できなくなったりしてしまうことがあり、サンドイッチを取り出すことができなかったり、サンドイッチを取り出すときに型くずれさせたりすることがあった。
【０００８】
そこで、本発明は、従来と同様にサンドイッチを衛生上好ましい状態で包装することができる上に、サンドイッチを良好な状態で円滑に取り出すことのできるサンドイッチ用包装材を提供することを課題とする。
【課題を解決するための手段】
【０００９】
本発明に係るサンドイッチ用包装材は、重ね合わされた二枚の外フィルムの両側端同士がシールされるとともに、外フィルムの両側端に繋がった線状又は帯状のシールラインを形成するように前記二枚の外フィルムがシールされて形成された袋本体を備え、袋本体は、シールラインに区画された一方の領域内にサンドイッチを収容するように構成され、二枚の外フィルムの少なくとも何れか一方におけるシールラインに区画された他方の領域に、一方の領域側とは反対側に凸をなす摘持片を画定する切り込みが設けられたサンドイッチ用包装材において、前記切り込みが設けられた外フィルム及び該外フィルムにシールされた相手方の互いに対向する面の少なくとも何れか一方には、少なくともシールラインの形成される領域における前記切り込みの両端間に対応する範囲にイージーピール性が付与され、一端部をシールラインの形成される領域内に位置させるとともに他端側を他方の領域側に位置させるように二枚の外フィルム間に介装され、他方の領域にコシを付与する補強用の中間フィルムをさらに備え、二枚の外フィルムは、前記シールラインを形成するように補強用の中間フィルムにシールされることで間接的にシールされ、補強用の中間フィルムは、前記切り込みが設けられた外フィルムと対向する面の少なくともシールラインの形成される領域における前記切り込みの両端間に対応する範囲にイージーピール性が付与されていることを特徴とする。
【００１０】
上記構成のサンドイッチ用包装材によれば、袋本体は、シールラインに区画された一方の領域内にサンドイッチを収容するように構成され、二枚の外フィルムの少なくとも何れか一方におけるシールラインに区画された他方の領域に、一方の領域側とは反対側に凸をなす摘持片を画定する切り込みが設けられているので、サンドイッチの収容される一方の領域内と外部とが切り込み等によって連通することがなく、サンドイッチを衛生的な状態で包装することができる。そして、切り込みが一方の領域側とは反対側に凸をなす摘持片を画定するように設けられている、すなわち、該切り込みの両端（始点及び終点）がシールライン側に向くように形成されているので、摘持片を引っ張ることで切り込みの始点及び終点の二点を起点にして外フィルムを引き裂いて開封することができる。
【００１１】
そして、本発明に係るサンドイッチ用包装材は、前記切り込みが設けられた外フィルム及び該外フィルムにシールされた相手方の互いに対向する面の少なくとも何れか一方には、少なくともシールラインの形成される領域における前記切り込みの両端間に対応する範囲にイージーピール性が付与されているので、開封時において、引き裂きによって形成される外フィルムの裂け目がシールラインに到達しても、外フィルムがシールライン上で相手方から円滑に剥離され、不特定な方向に多大な力が作用することなく裂け目がシールライン上及び一方の領域内でも円滑に延びることになる。
【００１２】
これにより、開封時に外フィルムがシールラインから不特定な方向に引き裂かれることなく、外フィルムを摘持片に対応した予定幅で適正に切除することができ、その切除された部分からサンドイッチを良好な状態で円滑に取り出すことができる。なお、ここで「シールされた相手方」とは、例えば、二枚の外フィルム同士がシールされる場合には、他方の外フィルムがシールされる相手となり、二枚の外フィルム間に別のフィルムが介装される場合には、その別のフィルムがシールされる相手となる。
【００１３】
そして、二枚の外フィルム間に介装される補強用の中間フィルムにイージーピール性を付与することで、外フィルムに対してイージーピール性を付与しなくても開封時において外フィルムを相手方としての補強用の中間フィルムから容易に剥離させることができる。特に、イージーピール性を付与するのに、一方の面の全面にイージーピール性に富む層が形成された市販のイージーピールフィルムを採用する場合には、補強用の中間フィルムより大きな外フィルムをイージーピールフィルムで構成するよりも、補強用の中間フィルムをイージーピールフィルムで構成する方がコスト的にもメリットがある。
【００１４】
そして、補強用の中間フィルムをシールラインから他方の領域側に延出させれば、補強用の中間フィルムの存在する他方の領域の厚みが厚くなる結果、その他方の領域にコシを付与することができる。これにより、補強用の中間フィルムの存在する他方の領域が起立した状態になり、見栄えの良い陳列状態にすることができる。特に、外フィルムの他方の領域内に何らかの情報（例えば、商品に関する名称やイメージ等の情報）を付与しておけば、より良好な陳列状態にすることができる。
【００１５】
その一方で、汚れ防止用の中間フィルムをシールラインから一方の領域側に延出させれば、その汚れ防止用の中間フィルムをサンドイッチの切り口（切断面）に接触させることができる。これにより、袋本体内でサンドイッチが移動してもサンドイッチの切断面が袋本体に直接擦れてサンドイッチの具等が付着することがなく、見栄えの良い状態で包装することができる。
【００１６】
従って、汚れ防止用の中間フィルムをシールラインから一方の領域側に延出させれば、一方の領域を画定する外フィルムにサンドイッチの具等が付着することがない上に、補強用の中間フィルムを他方の領域に延出させれば、他方の領域側の他方の領域にコシを付与することができる。
【００１７】
この場合、前記補強用の中間フィルムは、前記切り込みが設けられた外フィルムと対向する面の全面にイージーピール性が付与されていることが好ましい。このようにすれば、イージーピール性を付与するのに補強用の中間フィルムに対して部分的な加工を施す必要がなく、例えば、補強用の中間フィルムを市販のイージーピールフィルムで構成することができる。
【００１８】
そして、本発明の他態様として、前記切り込みが設けられた外フィルムには、シールラインと交差するようにカットテープが貼着され、該カットテープは、一端部が摘持片内に位置するように設けられてもよい。このようにカットテープを設ければ、開封時に外フィルムがカットテープに誘導されて切除されることになるため、より円滑な開封が可能となる。また、カットテープを設けると、シールライン上でカットテープまでもシールされることになるため、シールラインでの抵抗が大きくなるが、上述のように外フィルムの剥離性が向上することで、外フィルムを引き裂く際の引っ張り力がシールライン上で不特定な方向に作用して外フィルムが不特定な方向に引き裂かれることがなく、円滑且つ適正に開封することができる。
【００１９】
そして、本発明のより好ましい態様として、前記切り込みは、両端がシールライン内又はシールラインにおける他方の領域側のエッジ上に位置するように形成されてもよい。このようにすれば、摘持片を引っ張ったときの引っ張り力がシールライン上のイージーピール性の付与された領域に直接的に作用することになるので、外フィルムを相手方からより確実に剥離させることができる。また、切り込みの両端をシールライン内又はシールラインのエッジ上に位置させることで、他方の領域内で外フィルムが不特定な方向に裂けてしまうこともない。
【発明の効果】
【００２０】
以上のように、本発明のサンドイッチ用包装材によれば、従来と同様にサンドイッチを衛生上好ましい状態で包装することができる上に、サンドイッチを良好な状態で円滑に取り出すことができるという優れた効果を奏し得る。
【発明を実施するための最良の形態】
【００２１】
以下、本発明の一実施形態に係るサンドイッチ用包装材ついて、添付図面を参照して説明する。
【００２２】
まず、本実施形態に係るサンドイッチ用包装材の基本構成について概略説明すると、サンドイッチ用包装材は、側面視略直角三角形状をなすサンドイッチを包装するもので、図１及び図２に示す如く、重ね合わされた二枚の外フィルム１０ａ，１０ｂの両側端Ｅ，Ｅ同士がシールされるとともに、外フィルム１０ａ，１０ｂの両側端に繋がった線状又は帯状のシールライン１１を形成するように前記二枚の外フィルム１０ａ，１０ｂが間接的にシールされて形成された袋本体１０を備える。ここで「シール」とは、ヒートシールや溶断、接着剤等によって二枚以上のフィルムを接着することを意味し、「シールライン」とは、二枚以上のフィルムがシール（接着）されて一体的になった線状又は帯状の領域を意味する。なお、各図において、ドットを付した領域が対向するフィルム同士をシールする、或いはシールされた領域を示している。
【００２３】
前記袋本体１０は、シールライン１１に区画された一方の領域（以下、第一領域という）Ａ内にサンドイッチを収容するように構成されている。また、袋本体１０は、二枚の外フィルム１０ａ，１０ｂの少なくとも何れか一方におけるシールライン１１に区画された他方の領域（以下、第二領域という）Ｂに、第一領域Ａ側とは反対側に凸をなす摘持片１２を画定した切り込み１３が形成されている。これにより、摘持片１２を第一領域Ａ側に引っ張ることで、外フィルム１０ａが切り込み１３の両端（始点と終点の二点）を起点に引っ張り力の作用方向に引き裂かれ、その引き裂きによって形成される裂け目間にある外フィルム１０ａが第一領域Ａと第二領域Ｂとに跨って切除されるようになっている。すなわち、上記構成の袋本体１０は、二つの領域Ａ，Ｂに跨って摘持片１２に対応した予定幅（切り込み１３の両端間の幅）で外フィルム１０ａの一部が切除されるようになっている。
【００２４】
さらに、本実施形態に係るサンドイッチ用包装材１は、袋本体１０に加え、シールライン１１から第一領域Ａ側及び第二領域Ｂ側の少なくとも何れか一方に向けて延びるように、二枚の外フィルム１０ａ，１０ｂ間に介装された中間フィルムＦを備える。これにより、本実施形態に係るサンドイッチ用包装材１は、前記シールライン１１の形成される領域において、袋本体１０を構成する二枚の外フィルム１０ａ，１０ｂが中間フィルムＦにシールされて間接的にシールされている。
【００２５】
本実施形態に係るサンドイッチ用包装材１の基本構成は以上の通りであり、以下に各基本構成について具体的に説明する。
【００２６】
前記二枚の外フィルム１０ａ，１０ｂは、引き裂き可能な樹脂フィルムで構成されており、例えば、自己の特性による引き裂き方向性（引き裂いたときに形成される裂け目の延びる方向性）のない樹脂フィルムや、引き裂き方向性のある樹脂フィルムを採用することができる。なお、引き裂き方向性を有する樹脂フィルムを採用する場合には、その引き裂き方向（裂け目の延びる方向）が外フィルム１０ａ，１０ｂの一端から他端に向く方向（シールライン１１に対して直交方向）になるように配置される。
【００２７】
各外フィルム１０ａ，１０ｂは、一端側が他端側に比して幅広に形成されている。より具体的に説明すると、本実施形態に係る外フィルム１０ａ，１０ｂは、両側端Ｅ，Ｅが一端側から他端に向けて内側（中心側）に傾斜した傾斜部Ｅａと、該傾斜部Ｅａに連続して他端側で真っ直ぐに延びる直線部Ｅｂとで構成されている。
【００２８】
これにより、外フィルム１０ａ，１０ｂは、一端側に台形状の領域が形成されるとともに、台形状の領域の図示しない上辺（上側にある短辺）に連続した矩形状の領域が形成されている。また、本実施形態に係る外フィルム１０ａ，１０ｂは、サンドイッチを収容した状態で袋本体１０の一端開口を閉じるために、台形状の領域の底辺（下側にある長辺）に連続した台形状の領域（採番しない）も備えている。
【００２９】
前記二枚の外フィルム１０ａ，１０ｂは、重ね合わされた状態で他端同士及び両側端Ｅ，Ｅ同士がシールされている。すなわち、二枚の外フィルム１０ａ，１０ｂは、幅狭になった他端同士がシールされるとともに、傾斜部Ｅａ及び直線部Ｅｂで構成される両側端Ｅ，Ｅ同士がシールされることにより、一端側が開口した袋本体１０を形成している。
【００３０】
そして、二枚の外フィルム１０ａ，１０ｂは、台形状の領域と矩形状の領域との境界にシールライン１１を形成するように、介装された中間フィルムＦを介して間接的にシールされている。これにより、シールライン１１によって台形状の領域と矩形状の領域とが区画され、台形状の領域が前記第一領域Ａとなり、矩形状の領域が前記第二領域Ｂとなっている。
【００３１】
上記構成の袋本体１０は、外フィルム１０ａ，１０ｂの一端間（第一領域Ａの幅広な底辺間）に形成される開口からサンドイッチを挿入するようになっている。そして、二枚の外フィルム１０ａ，１０ｂのうち、一方の外フィルム１０ａの第二領域Ｂ内には、Ｕ字状又はコの字状の切り込み１３が入れられて外フィルム１０ａの一端側に凸をなす摘持片１２が形成されている。本実施形態において、切り込み１３は、線状をなし、その両端（始点及び終点）が第二領域Ｂ側にあるシールライン１１のエッジ上に位置するように形成されている。これにより、前記摘持片１２は、基端がシールライン１１における第二領域Ｂ側のエッジ上に位置するように形成されている。
【００３２】
また、本実施形態に係る袋本体１０は、一方の外フィルム１０ａに対し、前記シールライン１１と交差するようにカットテープ１４が貼着されている。該カットテープ１４は、帯状に形成されており、その一端部を摘持片１２内に位置させた上で外フィルム１０ａの一端に向けて延びるように設けられている。
【００３３】
本実施形態に係るサンドイッチ用包装材１は、二枚の外フィルム１０ａ，１０ｂ間に二枚のフィルム２０，３０が独立して介装されている。具体的には、本実施形態に係るサンドイッチ用包装材１は、前記第二領域Ｂにコシを付与するための補強用フィルム２０と、第一領域Ａ内のサンドイッチの擦れによる汚れが外フィルム１０ｂに付着するのを防止するための汚れ防止用フィルム３０とが二枚の外フィルム１０ａ，１０ｂ間に介装されている。
【００３４】
本実施形態に係る補強用フィルム２０は、前記中間フィルムＦとして設けられたもので、外フィルム１０ａ，１０ｂの第二領域Ｂ内に介在できるように矩形状に形成されている。そして、補強用フィルム２０は、二枚の外フィルム１０ａ，１０ｂ間に介装された状態で、一端部をシールライン１１が形成される領域内に位置させるとともに他端側を第二領域Ｂ内に位置させている。そして、該補強用フィルム２０は、一端部が対向する二枚の外フィルム１０ａ，１０ｂに線状又は帯状にシールされており、そのシールによって前記シールライン１１が形成されている。すなわち、本実施形態に係るサンドイッチ用包装材１は、第二領域Ｂ側に延出した補強用フィルム２０を介して外フィルム１０ａ，１０ｂが間接的にシールされ、その三者のシールによってシールライン１１が形成されている。
【００３５】
このように、補強用フィルム２０が二枚の外フィルム１０ａ，１０ｂ間に介装されることで、該補強用フィルム２０が袋本体１０（第二領域Ｂ）の芯体となり、袋本体１０の第二領域Ｂにコシを持たせている。
【００３６】
本実施形態に係るサンドイッチ用包装材１は、切り込み１３（摘持片１２）の設けられた一方の外フィルム１０ａ及び補強用フィルム２０（中間フィルムＦ）の互いに対向する面の少なくとも何れか一方に、少なくともシールライン１１における切り込み１３の両端間に対応する範囲Ｗ（図２参照）にイージーピール性が付与されている。本実施形態においては、一方の外フィルム１０ａと対向する補強用フィルム２０（中間フィルムＦ）の一方の面にイージーピール性が付与されている。
【００３７】
ここで、切り込み１３の両端間に対応する範囲Ｗとは、切り込み１２の両端（開封時の引き裂きの起点（裂け目の起点））からシールライン１１と直交又は略直交するように延びる二本の仮想線（採番しない）間の範囲をいう。従って、少なくともシールライン１１の形成される領域における前記切り込み１３の両端間に対応する範囲とは、シールライン１１の第一領域Ａ側及び第二領域Ｂ側の両エッジと、前記二本の仮想線とで包囲された領域、又はその領域を含んだ範囲を意味する。
【００３８】
なお、「イージーピール性」とは、シールされる相手（対向するフィルム）から剥離し易い特性を意味する。そして、イージーピール性は、フィルム同士のシールの方法によって種々選択されるもので、例えば、シールされる面を粗面にしたり、外フィルム同士を溶着してシールする場合には、シールされる面に溶着強度を低くする物質（例えば、ＥＶＡ）でコーティングをしたり、フィルム同士を接着剤でシールする場合には、シールされる面に接着剤の接着強度を低下させるような物質でコーティングをしたりすることで付与することができる。
【００３９】
本実施形態に補強用フィルム２０（中間フィルムＦ）は、一方の外フィルム１０ａと対向する一方の面の全面に対してイージーピール性が付与されている。本実施形態に係る補強用フィルム２０（中間フィルムＦ）には、一方の面全面にイージーピール性に富むコーティング層が形成されたイージーピールフィルムが採用されている。このように補強用フィルム２０（中間フィルムＦ）における一方の外フィルム１０ａと対向する面のみにイージーピール性を付与することで、一方の外フィルム１０ａを容易に剥離できる一方で、他方の外フィルム１０ｂに対して高いシール力でシールできるため、一方の外フィルム１０ａの剥離に伴って中間フィルムＦが他方の外フィルム１０ｂから剥離してしまうことが防止される。
【００４０】
前記汚れ防止用フィルム３０は、第一領域Ａ内で二枚の外フィルム１０ａ，１０ｂ間に介装されている。汚れ防止用フィルム３０は、平面視長方形状に形成されており、長手方向の一端部をシールライン１１側に位置させるとともに長手方向の他端部を外フィルム１０ｂの一端側に位置させた上で、その長手方向の両端部が他方の外フィルム１０ｂの内面にシールされている。該汚れ防止用フィルム３０は、サンドイッチの傾斜した切断面に重ねるためのもので、サンドイッチが袋本体１０内で移動しても該サンドイッチに追従して移動又は変形し、サンドイッチの切断面から露呈する具が外フィルム１０ｂに擦れて付着するのを防止するようになっている。
【００４１】
上記構成のサンドイッチ用包装材１は、重ね合わされた二枚の原反フィルムを溶断することによって、その二枚の原反フィルムから二枚の外フィルム１０ａ，１０ｂが形成されるのに併せて、二枚の外フィルム１０ａ，１０ｂの他端同士及び側端同士がシール（溶着）されることによって袋本体１０が形成されている。また、シールライン１１の形成される部分については、二枚の外フィルム１０ａ，１０ｂが上述の溶断に併せてヒートシールすることによってシールされている。そのため、前記中間フィルムＦ（後述の補強用フィルム２０）は、原反フィルムを溶断する前に二枚の原反フィルム間に配置され、上述のヒートシールによって二枚の外フィルム１０ａ，１０にシールされる。なお、汚れ防止用フィルム３０は、他方の外フィルム１０ｂの内面に貼着されるため、他方の外フィルム１０ｂとなる一方の原反フィルムに対し、二枚の原反フィルムを重ねる前に予め所定位置に配置されて両端部がシールされている。
【００４２】
本実施形態に係るサンドイッチ用包装材１は、以上の構成からなり、次に、サンドイッチの包装と該サンドイッチ用包装材１の開封について説明する。該サンドイッチ用包装材１でサンドイッチを包装するには、袋本体１０の一端開口（外フィルム１０ａ，１０ｂ間の開口からサンドイッチを収容した上で、袋本体１０（外フィルム１０ａ，１０ｂ）の一端部側を折り畳むことで、図３（ａ）及び図３（ｂ）に示す如くサンドイッチＳが包装された状態になる。
【００４３】
この状態で、図４（ａ）に示す如く、袋本体１０の第二領域Ｂは起立した状態となり、摘持片１２が周囲の外フィルム１０ａと並んだ状態になっているため、サンドイッチ用包装材１を開封するには、図４（ｂ）に示す如く、摘持片１２を起こすようにして摘持した上で、該摘持片１２を袋本体１０の一端側に引っ張る。そうすると、摘持片１２を形成する切り込み１１の始点及び終点を起点にして一方の外フィルム１０ａが裂け始め、カットテープ１４の長手方向と直交する短手方向の両側で裂け続けてシールライン１１を越えて裂けることになる。本実施形態においては、二枚の外フィルム１０ａ，１０ｂ間に介装された補強用フィルム２０（中間フィルムＦ）にイーピーピール性を付与しているため、上述の如く、外フィルム１０ａの裂け目がシールライン１１に到達しても、図４（ｃ）に示す如く、外フィルム１０ａは、引っ張り力の作用でシールライン上の補強用フィルム２０（中間フィルムＦ）から円滑に剥離し、裂け目がシールライン上で延びることになる。この際、上述のように外フィルム１０ａが円滑に剥離されることで、シールラインの剛性による抵抗が生じずに引っ張り方向に対応した方向に裂け目が延びるように引き裂かれることになる。
【００４４】
これにより、一方の外フィルム１０ａの一端側から他端側にかけて該外フィルム１０ａの一部を予定幅で切除することができ、その切除された開口部分からサンドイッチを良好な状態で円滑に取り出すことができる。
【００４５】
以上のように、本実施形態に係るサンドイッチ用包装材１によれば、シールライン１１によってサンドイッチＳが収容される第一領域Ａに対して区画された第二領域Ｂに摘持片１２を形成するようにしたので、該摘持片１２を切り込み１３によって形成しても、第一領域Ａ内と外部とが連通することがなく、サンドイッチＳを衛生的な状態で包装することができる。また、このように摘持片１２を第二領域Ｂに形成しても、本実施形態に係るサンドイッチ用包装材１は、一方の外フィルム１０ａにシールされた相手方としての中間フィルムＦ（補強用フィルム２０）のシールライン１１の形成される領域における前記切り込み１３の両端間に対応する範囲Ｗを含む全面にイージーピール性が付与されているので、シールライン１１上で外フィルム１０ａを相手方の中間フィルムＦから円滑に剥離させつつ引き裂くことができ、開封時において、外フィルム１０ａの引き裂き（裂け目の進行）が阻害されたり、外フィルム１０ａが不特定な方向に引き裂かれたりすることがなく、摘持片１２に対応した予定幅で外フィルム１０ａの一部を適正に切除することができる。これにより、切除されて形成された開口部分からサンドイッチＳを型くずれさせることなく円滑に取り出すことができる。
【００４６】
また、本実施形態に係るサンドイッチ用包装材１は、二枚の外フィルム１０ａ，１０ｂ間に介装された中間フィルムＦを備え、二枚の外フィルム１０ａ，１０ｂは、シールライン１１を形成するように中間フィルムＦにシールされて間接的にシールされ、中間フィルムＦは、外フィルム１０ａと対向する面の少なくともシールライン１１の形成される領域における前記切り込み１３の両端間に対応する範囲Ｗにイージーピール性が付与されているので、外フィルム１０ａに対してイージーピール性を付与しなくても開封時において外フィルム１０ａを相手方である中間フィルムＦから容易に剥離させることができる。
【００４７】
そして、本実施形態に係るサンドイッチ用包装材１は、イージーピール性を付与するのに、一方の面全面にイージーピール層の形成された市販のイージーピールフィルムを採用しているので、中間フィルムＦより大きな外フィルム１０ａをイージーピールフィルムで構成するよりもコストの観点においてメリットがある。
【００４８】
また、本実施形態に係るサンドイッチ用包装材１は、中間フィルムＦにイージーピール性が付与されているので、シールライン１１上に位置するカットテープ１４等にイージーピール性を付与する必要がなく、製造効率やコストにおいてメリットがある。
【００４９】
さらに、中間フィルムＦの一方の面の全面にイージーピール性を付与することで、外フィルム１０ａに対して中間フィルムＦの配置が多少ずれていてもイージーピール性の付与された領域内にシールライン１１における切り込み１３の両端に対応する範囲Ｗを位置させることができ、常に円滑に開封することができる。
【００５０】
そして、本実施形態に係るサンドイッチ用包装材１は、中間フィルムＦとして補強用フィルム２０を設けたので、第二領域Ｂにコシを付与することができ、見栄えの良い陳列状態にすることができる。特に、外フィルム１０ａ，１０ｂの第二領域Ｂ内に何らかの情報（例えば、商品に関する名称やイメージ等の情報）を付与することで、より良好な陳列状態にすることができる。
【００５１】
また、本実施形態に係るサンドイッチ用包装材１は、一方の外フィルム１０ａに対してシールライン１１と交差するようにカットテープ１４を貼着し、該カットテープ１４の一端部を摘持片１２内に位置させるようにしたので、摘持片１２を摘持したときから開封が完了するまで、外フィルム１０ａを誘導して円滑に予定幅で切除することができる。
【００５２】
さらに、本実施形態に係るサンドイッチ用包装材１は、両端がシールライン１１における第二領域Ｂ側のエッジ上に位置するように切り込み１３が形成されているので、摘持片１２を引っ張ったときに、その引っ張り力がシールライン１１上の外フィルム１０ａに直接的に作用することになり、第二領域Ｂ内で外フィルム１０ａが不特定な方向に裂けてしまうことを防止することができる。
【００５３】
尚、本発明のサンドイッチ用包装材の製造方法は、上記何れの実施形態にも限定されるものではなく、本発明の要旨を逸脱しない範囲内において種々変更を加え得ることは勿論である。
【００５４】
上記実施形態において、中間フィルムＦとしての補強用フィルム２０の一方の面にイージーピール性を付与したが、これに限定されるものではなく、例えば、外フィルム１０ａの補強用フィルム２０と対向する面にイージーピール性を付与するようにしてもよいし、補強用フィルム２０及び外フィルム１０ａの互いに対向する各面にイージーピール性を付与するようにしてもよい。
【００５５】
上記実施形態において、補強用フィルム２０を中間フィルムＦとしたが、参考例として、図５（ａ）に示す如く、補強用フィルム２０を第二領域Ｂ内にのみ存在するように構成する一方、第一領域Ａ内に配置される汚れ防止用フィルム３０の一端部をシールライン１１の形成される領域に位置させてシールライン１１を形成するように該一端部を外フィルム１０ａ，１０ｂとシールするようにし、これを前提にして切り込み１３の形成される一方の外フィルム１０ａ及び汚れ防止用フィルム３０の互いに対向する面の少なくとも何れか一方の少なくともシールラインの形成される領域における前記切り込みの両端間に対応する範囲にイージーピール性が付与するようにしてもよい。すなわち、補強用フィルム２０に代えて汚れ防止用フィルム３０を中間フィルムＦとしてもよい。
【００５６】
また、図５（ｂ）に示す如く、一枚の中間フィルムＦの一部（途中位置）をシールライン１１の形成される領域に配置し、該中間フィルムＦの一端側を第一領域Ａ内に延出させるとともに該中間フィルムＦの他端側を第二領域Ｂに延出させ、シールライン１１を形成するように該中間フィルムＦと二枚の外フィルム１０ａ，１０ｂをシールするようにしてもよい。このようにすれば、中間フィルムＦの一端側が上記実施形態における汚れ防止用フィルム３０として機能するとともに、中間フィルムＦの他端側が上記実施形態における補強用フィルム２０として機能することになる。この場合においても、一方の外フィルム１０ａ及び中間フィルムＦの互いに対向する面の少なくとも何れか一方に対し、少なくともシールライン１１の形成される領域における前記切り込み１３の両端間に対応する範囲にイージーピール性を付与するようにすればよい。
【００５７】
また、二枚の外フィルム１０ａ，１０ｂ同士を間接的にシールする場合、その外フィルム１０ａ，１０ｂ間に介装される中間フィルムＦは、第一領域Ａや第二領域Ｂに向けて延出する補強用フィルム２０や汚れ防止用フィルム３０に限定されるものであるが、参考例として、シールライン１１の形成される領域と対応するサイズ及び形状に形成されたフィルムを中間フィルムとし、その中間フィルムをシールライン１１の形成される領域に配置した上で、二枚の外フィルム１０ａ，１０ｂと中間フィルムとをシールしてシールライン１１を形成するようにしてもよい。この場合においても、切り込み１３（摘持片１２）が設けられる外フィルム１０ａ，１０ｂ、及び中間フィルムの互いに対向する面の少なくとも何れか一方に対し、少なくとも切り込み１３の両端間に対応する範囲にイージーピール性を付与すればよい。
【００５８】
上記実施形態において、中間フィルムＦ（補強用フィルム２０）の一方の面の全面にイージーピール性を付与するようにしたが、これに限定されるものではなく、例えば、中間フィルムＦ及び外フィルム１０ａの互いに対向する面の少なくとも何れか一方の面に対し、シールライン１１の形成される領域のうち、切り込み１３の両端間（摘持片１２の幅）に対応する範囲Ｗ或いはその範囲Ｗを含んだ領域にイージーピール性を付与するようにしてもよい。すなわち、少なくともシールライン１１の形成される領域における一方の外フィルム１０ａの切除予定領域に対してイージーピール性を付与すればよい。この場合、印刷等でパートコートを施して部分的にイージーピール性を付与することが好ましい。
【００５９】
上記実施形態において、シールライン１１を形成するに当り、中間フィルムＦを介して
二枚の外フィルム１０ａ，１０ｂを間接的にシールするようにしたが、参考例として、中間フィルムＦを介装することなく、シールライン１１を形成するように、二枚の外フィルム１０ａ，１０ｂ同士を直接シールしてもよい。この場合、二枚の外フィルム１０ａ，１０ｂの互いに対向する面のうちの少なくとも何れか一方に対し、少なくともシールライン１１の形成される領域における前記切り込み１３の両端間に対応する範囲Ｗにイージーピール性を付与すればよい。
【００６０】
上記実施形態において、一方の外フィルム１０ａにカットテープ１４を貼着したが、これに限定されるものではなく、カットテープ１４は必要に応じて設ければよい。カットテープ１４を設けない場合には、開封時に外フィルム１０ａの引き裂き方向性が安定しにくくなるので、例えば、外フィルム１０ａに自己の特性によって引き裂き方向性のあるフィルムを採用することが好ましことは言うまでもない。また、安定した切断を達成するには、カットテープ１４を設けることが好ましいことは言うまでもない。
【００６１】
上記実施形態において、摘持片１２を画定する切り込み１３の両端をシールライン１１のエッジ上に位置させるように設けたが、これに限定されるものではなく、例えば、切り込み１３の両端を第一領域Ａ内に位置することがないようにシールライン１１内に位置させるように設けてもよい。このようにしても摘持片１２を引っ張ったときに、その引っ張り力が直接シールライン１１上のイージーピール性を付与された領域に作用して外フィルム１０ａが剥離することになり、安定した開封が可能となる。
【００６２】
また、摘持片１２を画定する切り込み１３は、両端がシールライン１１内又はシールライン１１における第二領域Ｂ側のエッジ上に位置したものに限定されるものではなく、例えば、切り込み１３の両端がシールライン１１に対して離れた位置になるように切り込み１３を形成してもよい。この場合、一方の外フィルム１０ａ及び該外フィルム１０ａにシールされた相手方の少なくとも何れか一方における少なくともシールライン１１の形成される領域における前記切り込み１３の両端間に対応する範囲にイージーピール性が付与されればよい。
【００６３】
上記実施形態において、第一領域Ａとなる台形の領域と第二領域Ｂとなる矩形状の領域との連続体で外フィルム１０ａ，１０ｂを構成したが、外フィルム１０ａ，１０ｂの形態は、これに限定されるものではなく、例えば、図６に示す如く、外フィルム１０ａ，１０ｂは、両側端Ｅ，Ｅを全長に亘って傾斜した態様にし、第一領域Ａとなる台形の領域と、第二領域Ｂとなる台形の領域との連続体、すなわち、全体が台形状をなすものであってもよい。また、図示しないが、外フィルム１０ａ，１０ｂは、両側端Ｅ，Ｅが最終的に交わるように全長に亘って傾斜した態様にし、第一領域Ａとなる台形の領域と、第二領域Ｂとなる三角形状の領域との連続体、すなわち、全体が三角形状をなすものであってもよい。そして、上記実施形態においては、袋本体１０の一端開口を閉じるために第一領域Ａの底辺に台形状の領域を連続させたが、この領域は必要に応じて設ければよい。
【００６４】
上記実施形態において、二枚の外フィルム１０ａ，１０ｂ及び中間フィルムＦを溶断又はヒートシールして溶着（シール）するようにしたが、これに限定されるものではなく、例えば、接着剤でフィルム同士を接着（シール）するようにしても勿論よい。
【００６５】
上記実施形態において、二枚の外フィルム１０ａ，１０ｂの他端を溶断シールしたために、第二領域Ｂ内にＵ字状又はコの字状の切り込み１３を入れて摘持片１２を形成したが、これに限定されるものではなく、例えば、二枚の外フィルム１０ａ，１０ｂの他端をシールすることなく、何れか一方の外フィルム１０ａ，１０ｂの他端部に二つの切り込みを入れて該切り込み間を摘持片１２としてもよい。
【００６６】
さらに、上記実施形態において、一方の外フィルム１０ａに摘持片１２を形成するようにしたが、これに限定されるものではなく、例えば、他方の外フィルム１０ｂの第二領域Ｂ内、又は、二枚の外フィルム１０ａ，１０ｂのそれぞれの第二領域Ｂ内に摘持片１２を画定する切り込み１３を形成するようにしてもよい。これに併せて、カットテープ１４を他方の外フィルム１０ｂに貼着するようにしてもよい。このように、他方の外フィルム１０ｂを開封可能に構成する場合、他方の外フィルム１０ｂ及びその相手の少なくとも何れか一方に対して、少なくともシールライン１１の形成される領域における切り込み１３の両端間に対応する範囲にイージーピール性を付与することは勿論のことである。但し、他方の外フィルム１０ｂに摘持片１２やカットテープ１４を設けて開封可能にする場合には、汚れ防止用フィルム３０を設けることができなくなるので、上記実施形態のように、一方の外フィルム１０ａに摘持片１２やカットテープ１４を設けることが好ましいことは言うまでもない。
【図面の簡単な説明】
【００６７】
【図１】本発明の一実施形態に係るサンドイッチ用包装材の分解斜視図であって、シールされる領域にドットを付したものを示す。
【図２】同実施形態に係るサンドイッチ用包装材の補強用フィルム（中間フィルム）及び汚れ防止用フィルムを仮想線（二点鎖線）で示した平面図であって、シールされた領域にドットを付したものを示す。
【図３】同実施形態に係るサンドイッチ用包装材でサンドイッチを包装した状態の斜視図であって、（ａ）は、他方の外フィルム側から見た斜視図を示し、（ｂ）は、一方の外フィルム側から見た斜視図を示す。
【図４】同実施形態に係るサンドイッチ用包装材の開封状態を説明するための部分断面図であって、（ａ）は、開封前の部分断面図を示し、（ｂ）は、摘持片を起こした状態の部分断面図を示し、（ｃ）は、摘持片を引っ張ることで切除される外フィルムが中間フィルムから剥離される状態の部分断面図を示す。
【図５】本発明の他実施形態に係るサンドイッチ用包装材の平面図であって、（ａ）は、汚れ防止用フィルムが中間フィルムとされたサンドイッチ用包装材の平面図を示し、（ｂ）は、一枚の中間フィルムで補強用フィルム及び汚れ防止用フィルムの機能を持たせたサンドイッチ用包装材の平面図を示す。
【図６】本発明の別の実施形態に係るサンドイッチ用包装材の平面図であって、外フィルム全体が台形状に形成されたサンドイッチ用包装材の平面図を示す。
【符号の説明】
【００６８】
１…サンドイッチ用包装材、１０…袋本体、１０ａ，１０ｂ…外フィルム、１１…シールライン、１２…摘持片、１３…切り込み、１４…カットテープ、Ｆ…中間フィルム、２０…補強用フィルム、３０…汚れ防止用フィルム、Ａ…第一領域（一方の領域）、Ｂ…第二領域（他方の領域）、Ｅ…側端、Ｅａ…傾斜部、Ｅｂ…直線部、Ｓ…サンドイッチ
【図１】
0005314900.tif 000002
【図２】
0005314900.tif 000003
【図３】
0005314900.tif 000004
【図４】
0005314900.tif 000005
【図５】
0005314900.tif 000006
【図６】
0005314900.tif 000007